Podtech/llm-jp-corpus-v4-ja_patent huggingface dataset:
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
媒体に記録を行う記録ヘッドと、
媒体を吸着する吸着面を有し、前記記録ヘッドと対向する位置に媒体を搬送する搬送ベルトと、
前記搬送ベルトと接して前記吸着面を摩擦帯電させる第１帯電手段と、
前記搬送ベルトに電圧を印加することで前記吸着面を帯電させる第２帯電手段と、を備え、
前記第１帯電手段による前記吸着面の帯電と前記第２帯電手段による前記吸着面の帯電とを切り換える制御手段は、媒体の、前記吸着面と接する面の状態に応じて、前記第１帯電手段による前記吸着面の帯電と前記第２帯電手段による前記吸着面の帯電とを切り換える、
ことを特徴とする記録装置。
【請求項２】
請求項１に記載の記録装置において、前記制御手段は、媒体の、記録の行われていない面を前記吸着面に吸着させる際、前記第１帯電手段による前記吸着面の帯電を選択し、
媒体の、既に記録が行われた面を前記吸着面に吸着させる際、前記第２帯電手段による前記吸着面の帯電を選択する、
ことを特徴とする記録装置。
【請求項３】
請求項１または請求項２に記載の記録装置において、前記第２帯電手段による前記吸着面の帯電は、第１電圧の印加による帯電と、前記第１電圧より低い第２電圧の印加による帯電と、を切り換え可能であり、
前記制御手段は、前記第２帯電手段による前記吸着面の帯電を選択する場合、前記吸着面において媒体が接する接触領域では前記第１電圧を選択し、媒体が接触しない非接触領域では前記第２電圧を選択する、
ことを特徴とする記録装置。
【請求項４】
請求項１または請求項２に記載の記録装置において、前記第２帯電手段による前記吸着面の帯電は、第１電圧の印加による帯電と、前記第１電圧より低い第２電圧の印加による帯電と、を切り換え可能であり、
前記制御手段は、前記第２帯電手段による前記吸着面の帯電を選択する場合、前記吸着面において媒体の先端部と後端部が接触する領域では前記第１電圧を選択し、媒体の先端部と後端部との間の中間部が接触する領域では前記第２電圧を選択する、
ことを特徴とする記録装置。
【請求項５】
請求項１に記載の記録装置において、前記制御手段は、媒体の、前記吸着面と接する面の記録濃度に応じて前記第１帯電手段と前記第２帯電手段とを切り換える、
ことを特徴とする記録装置。
【請求項６】
請求項５に記載の記録装置において、前記制御手段は、前記記録濃度が予め定められた閾値未満の場合、前記第１帯電手段による前記吸着面の帯電を選択し、
前記記録濃度が前記閾値以上の場合、前記第２帯電手段による前記吸着面の帯電を選択する、
ことを特徴とする記録装置。
【請求項７】
請求項１に記載の記録装置において、前記制御手段は、媒体の、前記吸着面と接する面の搬送方向における記録位置に応じて、前記搬送方向に沿って前記第１帯電手段と前記第２帯電手段とを切り換える、
ことを特徴とする記録装置。
【請求項８】
請求項１から請求項７のいずれか一項に記載の記録装置において、前記第１帯電手段及び前記第２帯電手段は、前記吸着面をプラス極性に帯電させる、
ことを特徴とする記録装置。
【請求項９】
請求項１から請求項８のいずれか一項に記載の記録装置において、前記吸着面と接触可能な除電ブラシと、
前記除電ブラシを接地させるか否かを切り換える切り換え手段と、を備え、
前記第１帯電手段は、接地されない状態の前記除電ブラシで構成される、
ことを特徴とする記録装置。
【手続補正２】
【補正対象書類名】明細書
【補正対象項目名】０００７
【補正方法】変更
【補正の内容】
【０００７】
以下、本発明を概略的に説明する。  
本発明の第１の態様に係る記録装置は、媒体に記録を行う記録ヘッドと、媒体を吸着する吸着面を有し、前記記録ヘッドと対向する位置に媒体を搬送する搬送ベルトと、前記搬送ベルトと接して前記吸着面を摩擦帯電させる第１帯電手段と、前記搬送ベルトに電圧を印加することで前記吸着面を帯電させる第２帯電手段と、を備え、前記第１帯電手段による前記吸着面の帯電と前記第２帯電手段による前記吸着面の帯電とを切り換える制御手段は、媒体の、前記吸着面と接する面の状態に応じて、前記第１帯電手段による前記吸着面の帯電と前記第２帯電手段による前記吸着面の帯電とを切り換えることを特徴とする。
【手続補正３】
【補正対象書類名】明細書
【補正対象項目名】０００８
【補正方法】変更
【補正の内容】
【０００８】
本態様によれば、記録装置は搬送ベルトと接して媒体を吸着する吸着面を摩擦帯電させる第１帯電手段と、前記搬送ベルトに電圧を印加することで前記吸着面を帯電させる第２帯電手段と、を備え、制御手段は、媒体の、前記吸着面と接する面の状態に応じて、前記第１帯電手段による前記吸着面の帯電と前記第２帯電手段による前記吸着面の帯電とを切り換えるので、前記第２帯電手段による前記吸着面の帯電を必要最小限とすることで、オゾン発生量の抑制と、前記吸着面への媒体の適切な吸着と、を両立させることができる。  
また、前記第１帯電手段を選択することで、消費電力を抑制することもできる。
【手続補正４】
【補正対象書類名】明細書
【補正対象項目名】０００９
【補正方法】変更
【補正の内容】
【０００９】
本発明の第２の態様は、第１の態様において、前記制御手段は、媒体の、記録の行われていない面を前記吸着面に吸着させる際、前記第１帯電手段による前記吸着面の帯電を選択し、媒体の、既に記録が行われた面を前記吸着面に吸着させる際、前記第２帯電手段による前記吸着面の帯電を選択することを特徴とする。
【手続補正５】
【補正対象書類名】明細書
【補正対象項目名】００１５
【補正方法】変更
【補正の内容】
【００１５】
本発明の第５の態様は、第１の態様において、前記制御手段は、媒体の、前記吸着面と接する面の記録濃度に応じて前記第１帯電手段と前記第２帯電手段とを切り換えることを特徴とする。
【手続補正６】
【補正対象書類名】明細書
【補正対象項目名】００１６
【補正方法】変更
【補正の内容】
【００１６】
本態様によれば、前記制御手段は、媒体の、前記吸着面と接する面の記録濃度に応じて前記第１帯電手段と前記第２帯電手段とを切り換えるので、オゾン発生量の抑制と、前記吸着面への媒体の適切な吸着と、を両立させることができる。
【手続補正７】
【補正対象書類名】明細書
【補正対象項目名】００１７
【補正方法】変更
【補正の内容】
【００１７】
本発明の第６の態様は、第１の態様において、前記制御手段は、媒体の、前記吸着面と接する面の搬送方向における記録位置に応じて、前記搬送方向に沿って前記第１帯電手段と前記第２帯電手段とを切り換えることを特徴とする。
【手続補正８】
【補正対象書類名】明細書
【補正対象項目名】００１８
【補正方法】変更
【補正の内容】
【００１８】
本態様によれば、前記制御手段は、媒体の、前記吸着面と接する面の搬送方向における記録位置に応じて、前記搬送方向に沿って前記第１帯電手段と前記第２帯電手段とを切り換えるので、オゾン発生量の抑制と、前記吸着面への媒体の適切な吸着と、を両立させることができる。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
パレットを取得した後のフォーク上の前記パレットの中心位置と前記フォークの基準位置との間の取得後の位置誤差である第１の位置誤差と、前記パレットの前記フォークに対する取得後の角度誤差である第１の角度誤差とを予測する誤差予測部と、
前記パレットを載置する際に前記第１の位置誤差及び前記第１の角度誤差が相殺されるように、前記パレットの取得位置から前記パレットの載置位置までの予め設定された走行経路を補正する走行経路補正部と、
前記補正された走行経路に従って前記パレットを搬送する走行制御を行う搬送走行制御部と、
を備える、フォークリフト装置。
【請求項２】
前記パレットを取得する前の前記パレットの中心位置と前記フォークの基準位置との間の取得前の相対位置と、前記パレットの前記フォークに対する取得前の相対角度とを検出する相対位置角度検出部をさらに備え、
前記誤差予測部は、取得前の前記相対位置及び取得前の前記相対角度に基づいて、前記第１の位置誤差及び前記第１の角度誤差を予測する、
請求項１に記載のフォークリフト装置。
【請求項３】
取得前の前記相対位置及び取得前の前記相対角度と、前記第１の位置誤差及び前記第１の角度誤差とが対応づけられている誤差情報を記憶する記憶部をさらに備え、
前記誤差予測部は、前記誤差情報に基づいて、前記第１の位置誤差と、前記第１の角度誤差とを予測する、
請求項２に記載のフォークリフト装置。
【請求項４】
前記パレットを取得する前の前記パレット上の荷の取得前の重心位置を検出する重心位置検出部をさらに備え、
前記誤差予測部は、取得前の前記重心位置と、前記誤差情報とに基づいて、前記第１の位置誤差と、前記第１の角度誤差と、前記パレットを取得した後の前記パレット上の荷の取得後の重心位置とを予測し、
前記誤差情報は、取得前の前記重心位置と、取得後の前記重心位置とをさらに含み、
取得前の前記相対位置、取得前の前記相対角度、及び取得前の前記重心位置と、前記第１の位置誤差、前記第１の角度誤差、及び取得後の前記重心位置とは対応づけられて記憶されている、
請求項３に記載のフォークリフト装置。
【請求項５】
前記走行経路補正部は、さらに取得前の前記相対位置及び取得前の前記相対角度に基づいて、前記第１の位置誤差及び前記第１の角度誤差がより小さくなるように、前記パレットの取得までの走行経路を補正し、
前記搬送走行制御部は、さらに前記パレットの取得までの前記補正された走行経路に従って前記パレットを取得する、請求項２から４のいずれか一項に記載のフォークリフト装置。
【請求項６】
前記誤差予測部は、さらに
前記第１の位置誤差及び前記第１の角度誤差に基づいて、前記取得位置から前記載置位置までに発生する走行後の位置誤差である第２の位置誤差及び走行後の角度誤差である第２の角度誤差を予測する走行後誤差予測部を備え、
前記走行経路補正部は、さらに
前記パレットを載置する際に、前記第２の位置誤差及び前記第２の角度誤差が相殺されるように、前記取得位置から前記載置位置までの走行経路を補正する、請求項１から５のいずれか一項に記載のフォークリフト装置。
【請求項７】
パレットを取得した後のフォーク上の前記パレットの中心位置と前記フォークの基準位置との間の取得後の位置誤差である第１の位置誤差と、前記パレットの前記フォークに対する取得後の角度誤差である第１の角度誤差とを予測するステップと、
前記パレットを載置する際に前記第１の位置誤差及び前記第１の角度誤差が相殺されるように、前記パレットの取得位置から前記パレットの載置位置までの予め設定された走行経路を補正するステップと、
前記補正された走行経路に従って前記パレットを搬送する走行制御を行うステップと、
を備える、フォークリフト制御方法。
【請求項８】
走行経路に従って走行するフォークリフト装置のコンピュータに、
パレットを取得した後のフォーク上の前記パレットの中心位置と前記フォークの基準位置との間の取得後の位置誤差である第１の位置誤差と、前記パレットの前記フォークに対する取得後の角度誤差である第１の角度誤差とを予測するステップと、
前記パレットを載置する際に前記第１の位置誤差及び前記第１の角度誤差が相殺されるように、前記パレットの取得位置から前記パレットの載置位置までの予め設定された走行経路を補正するステップと、
前記補正された走行経路に従って前記パレットを搬送する走行制御を行うステップと、
を実行させるプログラム。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
ロボットアームを備えるロボット、前記ロボットアームに設けられてレーザー光を用いて対象物の三次元計測を行う三次元計測装置および前記対象物を含む検出範囲を撮像した画像に基づいて人を検出する人感センサーに接続されるロボット制御装置であって、
前記人感センサーから前記検出範囲内に人がいることを示す信号を受け付ける人検出信号受付部と、
前記信号に基づいて前記ロボットアームを制御するロボットアーム制御部と、を備え、
前記人検出信号受付部が前記人感センサーから前記検出範囲内に人がいることを示す信号を受け付けた場合、
前記ロボットアーム制御部は、前記レーザー光の出射方向が前記人のいる方向と異なる方向となるように前記ロボットアームを制御することを特徴とするロボット制御装置。
【請求項２】
前記ロボットアーム制御部は、前記レーザー光の一部を吸収または散乱させる部材に向けて前記レーザー光が出射されるように前記ロボットアームを制御する請求項１に記載のロボット制御装置。
【請求項３】
前記検出範囲は、前記レーザー光の照射範囲を含む請求項１または２に記載のロボット制御装置。
【請求項４】
前記検出範囲は、２つ以上の領域に分割されており、
前記人検出信号受付部が前記人感センサーから前記検出範囲内に人がいることを示す信号を受け付けた場合、
前記ロボットアーム制御部は、前記人を検出した領域とは別の領域側に向けて前記レーザー光が出射されるように前記ロボットアームを制御する請求項３に記載のロボット制御装置。
【請求項５】
ロボットアームを備えるロボットと、
前記ロボットアームに配置され、レーザー光を用いて対象物の三次元計測を行う三次元計測装置と、
前記ロボットアームに配置され、前記対象物を含む検出範囲を撮像した画像に基づいて人を検出する人感センサーと、
前記ロボットを制御するロボット制御装置と、を有し、
前記ロボット制御装置は、
前記人感センサーから前記検出範囲に人がいることを示す信号を受け付ける人検出信号受付部と、
前記信号に基づいて前記ロボットアームを制御するロボットアーム制御部と、を備え、
前記人検出信号受付部が前記人感センサーから前記検出範囲内に人がいることを示す信号を受け付けた場合、
前記ロボットアーム制御部は、前記レーザー光の出射方向が前記人のいる方向と異なる方向となるように前記ロボットアームを制御することを特徴とするロボットシステム。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
タイヤ内周面に沿ってタイヤ周方向に環状に配置される吸音体を備え、
前記吸音体は、タイヤ幅方向に延び、タイヤ周方向に所定ピッチで配置される複数の突条を備え、
前記突条は、
タイヤ幅方向の両端から中間領域に向かって高さ寸法が小さくなって谷部が形成される、少なくとも１つの第１突条部を有する第１突条と、
前記谷部に対応する位置に、タイヤ幅方向の中間領域から両端に向かって高さ寸法が小さくなる山部が形成される、少なくとも１つの第２突条部を有する第２突条と、
を含む、空気入りタイヤ。
【請求項２】
タイヤ子午線断面において、前記谷部及び前記山部の稜線と、前記タイヤ内周面とのなす角度が４５度以下である、請求項１に記載の空気入りタイヤ。
【請求項３】
タイヤ子午線断面において、前記第１突条及び前記第２突条の両端が、タイヤ内周面のうち、接地端に対応するタイヤ幅方向の位置にある、請求項１又は２に記載の空気入りタイヤ。
【請求項４】
前記第１突条は単一の第１突条部からなり、
前記第２突条は単一の第２突条部からなり、
タイヤ子午線断面において、前記第１突条及び前記第２突条の両端が、タイヤ内周面のうち、接地端に対応するタイヤ幅方向の位置にある、請求項１又は２に記載の空気入りタイヤ。
【請求項５】
前記吸音体はスポンジからなり、
前記第１突条及び前記第２突条は、タイヤ周方向に均等に配置されている、請求項１から４のいずれか１項に記載の空気入りタイヤ。
【請求項６】
前記第１突条及び前記第２突条は、タイヤ周方向に交互に配置されている、請求項１から５のいずれか１項に記載の空気入りタイヤ。
【請求項７】
前記第１突条及び第２突条は、タイヤ周方向に隙間なく配置されている、請求項６に記載の空気入りタイヤ。
【請求項８】
前記第１突条及び前記第２突条は、タイヤ径方向外側に開口し、タイヤ内周面とで空洞部を形成する空間を有する、請求項１から６のいずれか１項に記載の空気入りタイヤ。
【請求項９】
前記第２突条は、タイヤ幅方向における両端部に開口を有し、山部の最も高い位置で、前記空洞部をタイヤ幅方向に仕切る仕切壁が形成されている、請求項８に記載の空気入りタイヤ。
【請求項１０】
タイヤ内周面に沿ってタイヤ周方向に環状に配置される吸音体を備え、
前記吸音体は、タイヤ幅方向に延び、タイヤ周方向に所定ピッチで配置される複数の突条を備え、
前記突条は、
タイヤ幅方向の両端から中間領域に向かってタイヤ幅方向に直交する断面における断面積が小さくなって谷部が形成される、少なくとも１つの第１突条部を有する第１突条と、
前記谷部に対応する位置に、タイヤ幅方向の中間領域から両端に向かってタイヤ幅方向に直交する断面における断面積が小さくなる山部が形成される、少なくとも１つの第２突条部を有する第２突条と、
からなる、空気入りタイヤ。
【手続補正２】
【補正対象書類名】明細書
【補正対象項目名】００１０
【補正方法】変更
【補正の内容】
【００１０】
タイヤ子午線断面において、前記第１突条及び前記第２突条の両端が、タイヤ内周面のうち、接地端に対応するタイヤ幅方向の位置にあるのが好ましい。
【手続補正３】
【補正対象書類名】明細書
【補正対象項目名】００１２
【補正方法】変更
【補正の内容】
【００１２】
前記第１突条は単一の第１突条部からなり、
前記第２突条は単一の第２突条部からなり、
タイヤ子午線断面において、前記第１突条及び前記第２突条の両端が、タイヤ内周面のうち、接地端に対応するタイヤ幅方向の位置にあるのが好ましい。
【手続補正４】
【補正対象書類名】明細書
【補正対象項目名】００１９
【補正方法】変更
【補正の内容】
【００１９】
前記第１突条及び前記第２突条は、タイヤ径方向外側に開口し、タイヤ内周面とで空洞部を形成する空間を有するのが好ましい。
【手続補正５】
【補正対象書類名】明細書
【補正対象項目名】００２１
【補正方法】変更
【補正の内容】
【００２１】
前記第２突条は、タイヤ幅方向における両端部に開口を有し、山部の最も高い位置で、前記空洞部をタイヤ幅方向に仕切る仕切壁を形成されているのが好ましい。
【手続補正６】
【補正対象書類名】明細書
【補正対象項目名】００２３
【補正方法】変更
【補正の内容】
【００２３】
本発明は、前記課題を解決するための手段として、
タイヤ内周面に沿ってタイヤ周方向に環状に配置される吸音体を備え、
前記吸音体は、タイヤ幅方向に延び、タイヤ周方向に所定ピッチで配置される複数の突条を備え、
前記突条は、
タイヤ幅方向の両端から中間領域に向かってタイヤ幅方向に直交する断面における断面積が小さくなって谷部が形成される、少なくとも１つの第１突条部を有する第１突条と、
前記谷部に対応する位置に、タイヤ幅方向の中間領域から両端に向かってタイヤ幅方向に直交する断面における断面積が小さくなる山部が形成される、少なくとも１つの第２突条部を有する第２突条と、
からなる、空気入りタイヤを提供する。
【手続補正７】
【補正対象書類名】明細書
【補正対象項目名】００４５
【補正方法】変更
【補正の内容】
【００４５】
また、第１突条８及び第２突条９では、タイヤ周方向における最大幅寸法が接地領域のタイヤ周方向における最大寸法の２０％以上、５０％以下（好ましくは、２５％以上、３５％以下）に設定されている。最大幅寸法が２０％未満では空洞部２８、２９を大きく取ることができず、放熱性が不十分となり、タイヤ１の耐久性が悪化する恐れがある。一方、最大幅寸法が５０％を超えれば、接地面に対して開口する空洞部２８、２９が１箇所のみとなり、ロードノイズの低減が不十分となる。
【手続補正書】
【提出日】令和2年12月14日(2020.12.14)
【手続補正１】
【補正対象書類名】明細書
【補正対象項目名】００８７
【補正方法】変更
【補正の内容】
【００８７】
そして、突出部１２８が第２ガイド溝１２０の傾斜面１１８に沿って進むことでさらに第１シャフト１１２が回転し、図５Ｄに示されるように、突出部１２８が第１ガイド溝１１７へと挿通されることでさらなる回転が規制され、反時計回りへの回転力が付与された状態で維持される。このベース部材１２４をさらに空調ケース１２側へと接近させることで、第１ギア部４４がラック部材５４の第１ロッドギア８４へと噛合される。
【手続補正２】
【補正対象書類名】明細書
【補正対象項目名】００９１
【補正方法】変更
【補正の内容】
【００９１】
すなわち、ドア駆動機構１２２を構成する第１軸孔１２６（第２軸孔）側に凹状のガイド溝を設け、第１シャフト１１２（第２シャフト）の先端外周側に径方向外側に突出した凸状の位置決め部を設けて回転方向への相対的な位置決めを行ってもよいし、上述したドア駆動機構１２２のように、第１軸孔１２６（第２軸孔）に径方向内側に突出した凸状の突出部１２８を設け、第１シャフト１１２（第２シャフト）の先端に、径方向内側に窪んだ凹状の第２ガイド溝１２０を設けることで回転方向への相対的な位置決めを行ってもよい。
【手続補正３】
【補正対象書類名】明細書
【補正対象項目名】００９６
【補正方法】変更
【補正の内容】
【００９６】
すなわち、第１ドア駆動機構１４０と第２ドア駆動機構１４２とをそれぞれ独立して駆動させることで、運転席側へ送風される空気の温度調整と、助手席側へ送風される空気の温度調整とを独立して制御することができる。
【手続補正４】
【補正対象書類名】図面
【補正対象項目名】図２
【補正方法】変更
【補正の内容】
【図２】
2020001602.tif 000001
【手続補正５】
【補正対象書類名】図面
【補正対象項目名】図６
【補正方法】変更
【補正の内容】
【図６】
2020001602.tif 000002
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
配列番号２記載のアミノ酸配列、または該配列において０〜１０個のアミノ酸残基の欠失、付加、挿入もしくは置換の少なくとも１つを有するアミノ酸配列で示され、ＲＮＡに含まれる５’−ＵＧＧ−３’配列を認識し、当該配列の１番目の残基の３’側のリン酸ジエステル結合を加水分解するエンドリボヌクレアーゼ。
【請求項２】
配列番号３記載のアミノ酸配列で示されることを特徴とする、請求項１記載のエンドリボヌクレアーゼ。
【請求項３】
配列番号１記載のＤＮＡ配列において０〜１００個のＤＮＡ塩基の欠失、付加、挿入もしくは置換の少なくとも１つを有し、かつ配列番号１記載のＤＮＡ配列がコードするポリペプチドと５０〜１００％のホモロジーを有する、請求項１または請求項２記載のエンドリボヌクレアーゼをコードする遺伝子を含む核酸。
【請求項４】
請求項１または請求項２記載のエンドリボヌクレアーゼと結合し、前記エンドリボヌクレアーゼ活性を抑制する、阻害物質。
【請求項５】
配列番号５記載のアミノ酸配列、または該配列において０〜７個のアミノ酸残基の欠失、付加、挿入もしくは置換の少なくとも１つを有するアミノ酸配列で示されることを特徴とする、請求項４記載の阻害物質。
【請求項６】
配列番号６記載のアミノ酸配列で示される、請求項５記載の阻害物質。
【請求項７】
トキシンとアンチトキシンとの複合体であって、
前記トキシンが請求項１または請求項２記載のエンドリボヌクレアーゼであり、前記アンチトキシンが請求項４、請求項５、または請求項６に記載の阻害物質である、複合体。
【請求項８】
配列番号４記載のＤＮＡ配列において０〜１００個のＤＮＡ塩基の欠失、付加、挿入もしくは置換の少なくとも１つを有し、かつ配列番号４記載のＤＮＡ配列がコードするポリペプチドと５０〜１００％のホモロジーを有する、請求項４または請求項５記載の阻害物質をコードする遺伝子を含む核酸。
【請求項９】
一本鎖ＲＮＡに請求項１または請求項２記載のエンドリボヌクレアーゼを作用させてＲＮＡを分解することを特徴とする、ＲＮＡ分解物の製造方法。
【請求項１０】
前記ＲＮＡを分解することが、前記ＲＮＡに含まれる５’−ＵＧＧ−３’配列を認識して５’末端が５’−ＧＧ−３’のＲＮＡを生成することである、請求項９記載のＲＮＡ分解物の製造方法。
【請求項１１】
前記エンドリボヌクレアーゼに、請求項４または請求項５記載の阻害物質を結合させて前記ＲＮＡ分解を停止することを特徴とする、請求項１０記載のＲＮＡ分解物の製造方法。
【請求項１２】
請求項１または請求項２記載のエンドリボヌクレアーゼを、環状ベクターを用いて原核細胞および／または真核細胞で発現させ、前記エンドリボヌクレアーゼによる細胞内ＲＮＡ分解反応を促進させ、細胞の増殖を阻害することを特徴とする、細胞制御方法。
【請求項１３】
前記細胞内ＲＮＡ分解反応が、細胞内ＲＮＡに含まれる５’−ＵＧＧ−３’配列を認識して５’末端が５’−ＧＧ−３’のＲＮＡを生成することである、請求項１２記載の細胞制御方法。
【請求項１４】
請求項１または請求項２記載のエンドリボヌクレアーゼおよび請求項４または請求項５記載の阻害物質を、環状ベクターを用いて原核細胞および／または真核細胞で共に発現させ、細胞の増殖阻害を停止することを特徴とする、細胞制御方法。
【請求項１５】
請求項１または請求項２記載のエンドリボヌクレアーゼを用いて、ＲＮＡに含まれる５’−ＵＧＧ−３’配列を認識し、当該配列の１番目の残基の３’側のリン酸ジエステル結合を加水分解することを特徴とする、ＲＮＡの切断方法。
【請求項１６】
前記加水分解が、前記ＲＮＡに含まれる５’−ＵＧＧ−３’配列を認識して５’末端が５’−ＧＧ−３’のＲＮＡを生成することである、請求項１５記載のＲＮＡの切断方法。
【手続補正書】
【提出日】令和3年1月27日(2021.1.27)
【手続補正１】
【補正対象書類名】明細書
【補正対象項目名】００６８
【補正方法】変更
【補正の内容】
【００６８】
外側不織布層１２Ｓ及び内側不織布層１２Ｈの構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布層１２Ｓ，１２Ｈの柔軟性を高めるために、構成繊維を捲縮繊維とするのは好ましい。また、外側不織布層１２Ｓ及び内側不織布層１２Ｈの構成繊維は、親水性繊維（親水化剤により親水性となったものを含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、外側不織布層１２Ｓ及び内側不織布層１２Ｈとして用いることができる。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値の設定を許可するための設定値許可処理を含む複数の処理を実行する際に、処理ごとに、前記操作手段が操作されたことを判定することなく、前記特定情報が記憶されていると判定したことにもとづいて処理を実行する処理実行手段と、
いずれの設定値に設定されたかを特定可能な設定値情報を出力可能な情報出力手段と、を備え、
前記情報出力手段は、遊技機への電源供給が開始されたときに前記設定値情報を出力する
ことを特徴とする遊技機。
【手続補正２】
【補正対象書類名】明細書
【補正対象項目名】０００２
【補正方法】変更
【補正の内容】
【０００２】
遊技者にとって有利な有利状態に制御される確率に関する設定値を設定可能に構成されたパチンコ遊技機として、例えば、特許文献１に記載されたものがある。特許文献１には、前枠を開いて設定キースイッチをＯＮ側に操作した状態で電源スイッチがＯＮ側に操作された場合に設定変更処理が実行されることが記載されている。また、設定変更処理では、設定値記憶手段以外のＲＡＭ領域がクリアされることが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載の遊技機にあっては、遊技者にとって有利な有利状態に制御される確率に関する設定値を設定可能に構成した遊技機において、必ずしも適切に処理を行うことができないおそれがある。
【手続補正５】
【補正対象書類名】明細書
【補正対象項目名】０００５
【補正方法】変更
【補正の内容】
【０００５】
この発明は、遊技者にとって有利な有利状態に制御される確率に関する設定値を設定可能に構成した遊技機において、好適に処理を行うことができるようにすることを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御される確率に関する設定値を設定可能な遊技機であって、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
設定値の設定を許可するための設定値許可処理を含む複数の処理を実行する際に、処理ごとに、前記操作手段が操作されたことを判定することなく、前記特定情報が記憶されていると判定したことにもとづいて処理を実行する処理実行手段と、
いずれの設定値に設定されたかを特定可能な設定値情報を出力可能な情報出力手段と、を備え、
前記情報出力手段は、遊技機への電源供給が開始されたときに前記設定値情報を出力する
ことを特徴とする。
（１）さらに、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定許可状態に制御可能な設定許可手段と、
設定値を確認可能な設定確認状態に制御可能な設定確認手段と、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
前記操作手段の状態がオフ状態からオン状態に切り替わったことにもとづいて、前記操作手段が操作されたと判定可能な判定手段と、
前記特定情報にもとづいて、処理を実行可能な処理実行手段と、を備え、
前記判定手段は、前記設定許可手段により前記設定許可状態に制御されるときの初回の前記操作手段の状態をオン状態として、前記操作手段が操作されたか否かを判定し、
前記処理実行手段は、
前記特定情報を複数回用いて処理を実行可能であり、
前記特定情報にもとづいて前記設定許可状態に制御可能であり、
前記特定情報にもとづいて初期化処理を実行可能である、
ことを特徴とする遊技機。
【手続補正２】
【補正対象書類名】明細書
【補正対象項目名】０００２
【補正方法】変更
【補正の内容】
【０００２】
遊技者にとって有利度が異なる複数の設定値のうちいずれかの設定値に設定可能に構成されたパチンコ遊技機として、例えば、特許文献１に記載されたものがある。特許文献１には、前枠を開いて設定キースイッチをＯＮ側に操作した状態で電源スイッチがＯＮ側に操作された場合に設定変更処理が実行されることが記載されている。また、設定変更処理では、設定値記憶手段以外のＲＡＭ領域がクリアされることが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載の遊技機にあっては、遊技者にとって有利度が異なる複数の設定値のうちいずれかの設定値に設定可能に構成した遊技機において、必ずしも適切に処理を行うことができないおそれがある。
【手続補正５】
【補正対象書類名】明細書
【補正対象項目名】０００５
【補正方法】変更
【補正の内容】
【０００５】
この発明は、遊技者にとって有利度が異なる複数の設定値のうちいずれかの設定値に設定可能に構成した遊技機において、好適に処理を行うことができるようにすることを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御可能な遊技機であって、
前記有利状態に制御される確率に関する設定値を設定可能な設定許可状態に制御可能な設定許可手段と、
設定値を確認可能な設定確認状態に制御可能な設定確認手段と、
遊技機への電源供給が開始されたときに操作されたことにもとづいて初期化処理を実行可能に設けられた操作手段と、
遊技機への電源供給が開始されたときに前記操作手段が操作されたことを示す特定情報を記憶可能な特定情報記憶手段と、
前記操作手段の状態がオフ状態からオン状態に切り替わったことにもとづいて、前記操作手段が操作されたと判定可能な判定手段と、
前記特定情報にもとづいて、処理を実行可能な処理実行手段と、を備え、
前記判定手段は、前記設定許可手段により前記設定許可状態に制御されるときの初回の前記操作手段の状態をオン状態として、前記操作手段が操作されたか否かを判定し、
前記処理実行手段は、
前記特定情報を複数回用いて処理を実行可能であり、
前記特定情報にもとづいて前記設定許可状態に制御可能であり、
前記特定情報にもとづいて初期化処理を実行可能である、
ことを特徴とする。
（１）他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
振動可能な振動手段と、
前記振動手段の振動制御が可能な振動制御手段と、
演出手段を用いた演出の実行を制御する演出制御手段と、を備え、
前記演出制御手段は、前記振動手段が振動するときに前記演出手段を振動対応態様に制御する第１演出パターンと、前記振動手段が振動するときに前記演出手段を振動対応態様に制御しない第２演出パターンとを含む複数の演出パターンにより演出を実行可能であり、
前記演出制御手段は、第１タイミングと該第１タイミングよりも後の第２タイミングとを含む複数のタイミングにて前記第１演出パターンによる演出を実行可能であり、
前記第１タイミングにて前記第１演出パターンによる演出が実行されたときよりも、前記第２タイミングにて前記第１演出パターンによる演出が実行されたときの方が、前記有利状態に制御される期待度が高く、
前記演出手段は、動作可能な可動体と、音声を出力可能な音声出力手段と、を含み、
前記第１演出パターンは、前記可動体を動作させることで振動対応態様とする所定第１演出パターンと、前記音声出力手段に所定の演出音よりも低い特定音声を出力させることで振動対応態様とする特定第１演出パターンと、前記可動体を動作させることおよび前記音声出力手段に前記特定音声を出力させることで振動対応態様とする特別第１演出パターンと、を含み、
前記演出制御手段は、
前記有利状態に制御するか否かによって異なる割合にていずれかの前記第１演出パターンによる演出を実行し、
前記第１タイミングにて前記特別第１演出パターンによる演出を実行した場合、前記第２タイミングにて前記特別第１演出パターンによる演出を実行し、
前記複数の演出パターンとして、さらに、前記振動手段が振動する時期と少なくとも一部が重複しない時期に前記演出手段を振動対応態様に制御する変則演出パターンを含む、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技者にとって有利な有利状態に制御可能な遊技機であって、振動可能な振動手段と、前記振動手段の振動制御が可能な振動制御手段と、演出手段を用いた演出の実行を制御する演出制御手段と、を備え、前記演出制御手段は、前記振動手段が振動するときに前記演出手段を振動対応態様に制御する第１演出パターンと、前記振動手段が振動するときに前記演出手段を振動対応態様に制御しない第２演出パターンとを含む複数の演出パターンにより演出を実行可能であり、前記演出制御手段は、第１タイミングと該第１タイミングよりも後の第２タイミングとを含む複数のタイミングにて前記第１演出パターンによる演出を実行可能であり、前記第１タイミングにて前記第１演出パターンによる演出が実行されたときよりも、前記第２タイミングにて前記第１演出パターンによる演出が実行されたときの方が、前記有利状態に制御される期待度が高く、前記演出手段は、動作可能な可動体と、音声を出力可能な音声出力手段と、を含み、前記第１演出パターンは、前記可動体を動作させることで振動対応態様とする所定第１演出パターンと、前記音声出力手段に所定の演出音よりも低い特定音声を出力させることで振動対応態様とする特定第１演出パターンと、前記可動体を動作させることおよび前記音声出力手段に前記特定音声を出力させることで振動対応態様とする特別第１演出パターンと、を含み、前記演出制御手段は、前記有利状態に制御するか否かによって異なる割合にていずれかの前記第１演出パターンによる演出を実行し、前記第１タイミングにて前記特別第１演出パターンによる演出を実行した場合、前記第２タイミングにて前記特別第１演出パターンによる演出を実行し、前記複数の演出パターンとして、さらに、前記振動手段が振動する時期と少なくとも一部が重複しない時期に前記演出手段を振動対応態様に制御する変則演出パターンを含む、ことを特徴とする。
（手段１）他の態様の遊技機は、遊技を実行可能な遊技機であって、振動可能な振動手段（例えば、バイブレータモータ１５３ＩＷ１３）と、振動手段の振動制御が可能な振動制御手段（例えば、演出制御用ＣＰＵ１２０における、ステップ１５３ＩＷＳ０２０で振動演出を設定し、ステップＳ１７２を実行する部分）と、演出手段（例えば、スピーカ８Ｌ，８Ｒ、第２可動体１５３ＩＷ０２）を用いた演出の実行を制御する演出制御手段（例えば、演出制御用ＣＰＵ１２０における、ステップＳ７６を実行する部分）とを備え、演出制御手段は、振動手段が振動するときに演出手段を振動対応態様に制御する第１演出パターン（例えば、Ｋｐ１〜Ｋｐ３）と、振動手段が振動するときに演出手段を振動対応態様に制御しない第２演出パターン（例えば、Ｋｐ０）とを含む複数の演出パターンにより演出を実行可能であることを特徴とする。そのような構成によれば、演出効果を高めることができる。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
振動可能な振動手段と、
前記振動手段の振動制御が可能な振動制御手段と、
演出手段を用いた演出の実行を制御する演出制御手段と、を備え、
演出手段は、動作可能な可動体と、音声を出力可能な音声出力手段と、を含み、
前記演出制御手段は、
前記振動手段が振動するときに演出手段を振動対応態様に制御可能であり、
前記振動手段が振動するときに前記可動体を動作させる第１振動対応態様に制御する第１振動対応パターンと、前記振動手段が振動するときに前記音声出力手段に所定の演出音よりも低い特定音声を出力させる第２振動対応態様に制御する第２振動対応パターンと、前記可動体を動作させるとともに前記音声出力手段に前記特定音声を出力させる第３振動対応態様に制御する第３振動対応パターンと、を含む複数の振動対応パターンにより演出を実行可能であり、
第１タイミングと該第１タイミングよりも後の第２タイミングとを含む複数のタイミングにて演出手段を振動対応態様に制御可能であり、
前記第１タイミングにて演出手段が振動対応態様に制御されたときよりも、前記第２タイミングにて演出手段が振動対応態様に制御されたときの方が、前記有利状態に制御される期待度が高く、
前記演出制御手段は、
前記有利状態に制御するか否かによって異なる割合にていずれかの振動対応パターンによる演出を実行し、
前記第１タイミングにて前記第３振動対応パターンによる演出を実行した場合、前記第２タイミングにて前記第３振動対応パターンによる演出を実行し、
前記複数の振動対応パターンとして、さらに、前記振動手段が振動する時期と少なくとも一部が重複しない時期に前記演出手段を振動対応態様に制御する変則振動対応パターンを含む、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技者にとって有利な有利状態に制御可能な遊技機であって、振動可能な振動手段と、前記振動手段の振動制御が可能な振動制御手段と、
演出手段を用いた演出の実行を制御する演出制御手段と、を備え、演出手段は、動作可能な可動体と、音声を出力可能な音声出力手段と、を含み、前記演出制御手段は、前記振動手段が振動するときに演出手段を振動対応態様に制御可能であり、前記振動手段が振動するときに前記可動体を動作させる第１振動対応態様に制御する第１振動対応パターンと、前記振動手段が振動するときに前記音声出力手段に所定の演出音よりも低い特定音声を出力させる第２振動対応態様に制御する第２振動対応パターンと、前記可動体を動作させるとともに前記音声出力手段に前記特定音声を出力させる第３振動対応態様に制御する第３振動対応パターンと、を含む複数の振動対応パターンにより演出を実行可能であり、第１タイミングと該第１タイミングよりも後の第２タイミングとを含む複数のタイミングにて演出手段を振動対応態様に制御可能であり、前記第１タイミングにて演出手段が振動対応態様に制御されたときよりも、前記第２タイミングにて演出手段が振動対応態様に制御されたときの方が、前記有利状態に制御される期待度が高く、前記演出制御手段は、前記有利状態に制御するか否かによって異なる割合にていずれかの振動対応パターンによる演出を実行し、前記第１タイミングにて前記第３振動対応パターンによる演出を実行した場合、前記第２タイミングにて前記第３振動対応パターンによる演出を実行し、前記複数の振動対応パターンとして、さらに、前記振動手段が振動する時期と少なくとも一部が重複しない時期に前記演出手段を振動対応態様に制御する変則振動対応パターンを含む、ことを特徴とする。
（手段１）他の態様の遊技機は、遊技を実行可能な遊技機であって、振動可能な振動手段（例えば、バイブレータモータ１５３ＩＷ１３）と、振動手段の振動制御が可能な振動制御手段（例えば、演出制御用ＣＰＵ１２０における、ステップ１５３ＩＷＳ０２０で振動演出を設定し、ステップＳ１７２を実行する部分）と、演出手段（例えば、スピーカ８Ｌ，８Ｒ、第２可動体１５３ＩＷ０２）を用いた演出の実行を制御する演出制御手段（例えば、演出制御用ＣＰＵ１２０における、ステップＳ７６を実行する部分）とを備え、演出制御手段は、振動手段が振動するときに演出手段を振動対応態様に制御可能であり（例えば、演出制御用ＣＰＵ１２０は、Ｋｐ１〜Ｋｐ３のうちいずれかの強調演出パターンにて強調演出を実行可能であり）、振動手段が振動するときに演出手段を第１振動対応態様に制御する第１振動対応パターン（例えば、スピーカ８Ｌ，８Ｒから音声を出力するＫｐ１）と、振動手段が振動するときに演出手段を第２振動対応態様に制御する第２振動対応パターン（例えば、第２可動体１５３ＩＷ０２を動作させるＫｐ２）とを含む複数の振動対応パターンにより演出を実行可能であることを特徴とする。そのような構成によれば、演出効果を高めることができる。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
操作手段と、
遊技機への電源供給が開始されたときに前記操作手段が操作されたことにもとづいて、設定値を設定するための設定値許可処理を実行可能な処理実行手段と、
前記操作手段の状態がオフ状態からオン状態に切り替わったことにもとづいて、前記操作手段が操作されたと判定可能な判定手段と、
前回の前記操作手段の状態を記憶する第１状態記憶手段と、
今回の前記操作手段の状態を記憶する第２状態記憶手段と、
いずれの設定値に設定されたかを特定可能な設定値情報を出力可能な情報出力手段と、を備え、
前記処理実行手段は、前記設定値許可処理において、前記判定手段によって前記操作手段が操作されたと判定されたことにもとづいて設定値を設定可能であり、
前記判定手段は、前記第１状態記憶手段の記憶内容がオフ状態であり且つ前記第２状態記憶手段の記憶内容がオン状態であることにもとづいて、前記操作手段が操作されたと判定可能であり、
前記第１状態記憶手段は、前記設定値許可処理が開始されたときの初回の前記操作手段の状態としてオン状態を記憶し、
前記情報出力手段は、遊技機への電源供給が開始されたときに前記設定値情報を出力する
ことを特徴とする遊技機。
【手続補正２】
【補正対象書類名】明細書
【補正対象項目名】０００２
【補正方法】変更
【補正の内容】
【０００２】
遊技者にとって有利な有利状態に制御される確率に関する設定値を設定可能に構成されたパチンコ遊技機として、例えば、特許文献１に記載されたものがある。特許文献１には、ＲＡＭクリアスイッチが操作され、設定キースイッチがオン状態であれば、初期設定２が実行され、抽選確率を変更することが記載されている。また、設定キースイッチは、設定スイッチを有効するために使用され、設定スイッチが示す設定１〜３に対応した特図の当り抽選確率が設定されることが記載されている。
【手続補正３】
【補正対象書類名】明細書
【補正対象項目名】０００３
【補正方法】変更
【補正の内容】
【０００３】
【特許文献１】特開２０１７−６０５４６号公報
【手続補正４】
【補正対象書類名】明細書
【補正対象項目名】０００４
【補正方法】変更
【補正の内容】
【０００４】
しかしながら、特許文献１に記載の遊技機にあっては、遊技者にとって有利な有利状態に制御される確率に関する設定値を設定可能に構成した遊技機において、必ずしも適切に処理を行うことができないおそれがある。
【手続補正５】
【補正対象書類名】明細書
【補正対象項目名】０００５
【補正方法】変更
【補正の内容】
【０００５】
この発明は、遊技者にとって有利な有利状態に制御される確率に関する設定値を設定可能に構成した遊技機において、好適に処理を行うことができるようにすることを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御される確率に関する設定値を設定可能な遊技機であって、
操作手段と、
遊技機への電源供給が開始されたときに前記操作手段が操作されたことにもとづいて、設定値を設定するための設定値設定処理を実行可能な処理実行手段と、
前記操作手段の状態がオフ状態からオン状態に切り替わったことにもとづいて、前記操作手段が操作されたと判定可能な判定手段と、
前回の前記操作手段の状態を記憶する第１状態記憶手段と、
今回の前記操作手段の状態を記憶する第２状態記憶手段と、
いずれの設定値に設定されたかを特定可能な設定値情報を出力可能な情報出力手段と、を備え、
前記処理実行手段は、前記設定値設定処理において、前記判定手段によって前記操作手段が操作されたと判定されたことにもとづいて設定値を設定可能であり、
前記判定手段は、前記第１状態記憶手段の記憶内容がオフ状態であり且つ前記第２状態記憶手段の記憶内容がオン状態であることにもとづいて、前記操作手段が操作されたと判定可能であり、
前記第１状態記憶手段は、前記設定値設定処理が開始されたときの初回の前記操作手段の状態としてオン状態を記憶し、
前記情報出力手段は、遊技機への電源供給が開始されたときに前記設定値情報を出力する
ことを特徴とする。
（１）さらに、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。